(57)【要約】      （修正有）【課題】複数の監視制御作業が必要なプラントにおいて、作業者の権限レベル或いは熟練度に応じて、適切な情報を迅速に作業者へ伝達するプラント監視制御システムを提供する。【解決手段】作業者の認証情報を入力する携帯端末１１３と、携帯端末の入力処理部１０５と、入力情報に基づき画面情報格納部１０８に登録された画面情報を読み出した画面情報を携帯端末に表示する画面管理部１０７と、作業者情報格納部１１２に予め登録された作業者情報および権限情報格納部１１１に予め登録された権限情報と携帯端末から入力された認証情報とを照合することによりプラント監視制御システム１００における作業者の権限を判定する権限判定部１１４と、を備え、権限判定部の判定に基づく前記作業者の権限に応じて、マニュアル情報格納部１１０に予め登録されたマニュアル情報をマニュアル情報管理部が選択し、当該選択したマニュアル情報を携帯端末に表示する。【選択図】図１
2015184851.tif 000002
【特許請求の範囲】
【請求項１】
複数の監視制御作業が必要なプラントのプラント監視制御システムであって、
前記プラント監視制御システムは、作業者の認証情報を入力する持ち運び可能な携帯端末と、
前記携帯端末或いは外部の入力装置から入力された入力情報を入力信号として処理する入力処理部と、
前記入力信号に基づき、画面情報格納部に予め登録された画面情報を読み出し、当該読み出した画面情報を前記携帯端末および外部の出力装置に表示する画面管理部と、
作業者情報格納部に予め登録された作業者情報および権限情報格納部に予め登録された権限情報と前記携帯端末から入力された前記認証情報とを照合することにより前記プラント監視制御システムにおける前記作業者の権限を判定する権限判定部と、を備え、
前記権限判定部の判定に基づく前記作業者の権限に応じて、マニュアル情報格納部に予め登録されたマニュアル情報をマニュアル情報管理部が選択し、当該選択したマニュアル情報を前記携帯端末に表示することを特徴とするプラント監視制御システム。
【請求項２】
複数の監視制御作業が必要なプラントのプラント監視制御システムであって、
前記プラント監視制御システムは、作業者の認証情報を入力する持ち運び可能な携帯端末と、
前記携帯端末から入力された入力情報を入力信号として処理する入力処理部と、
前記入力信号に基づき、画面情報格納部に予め登録された画面情報を読み出し、当該読み出した画面情報を前記携帯端末に表示する画面管理部と、
作業者情報格納部に予め登録された作業者情報および権限情報格納部に予め登録された権限情報と前記携帯端末から入力された前記認証情報とを照合することにより前記プラント監視制御システムにおける前記作業者の権限を判定する権限判定部と、を備え、
前記権限判定部の判定に基づく前記作業者の権限に応じて、マニュアル情報格納部に予め登録されたマニュアル情報をマニュアル情報管理部が選択し、当該選択したマニュアル情報を前記携帯端末に表示することを特徴とするプラント監視制御システム。
【請求項３】
前記権限情報は、作業者の熟練度に応じて予め階層分けされた権限区分を含むことを特徴とする請求項１または２に記載のプラント監視制御システム。
【請求項４】
作業者が前記携帯端末に当該作業者の認証情報を入力し、前記プラント監視制御システムにログインした場合において、前記携帯端末に表示される画面情報の複数のアイコンのうち、所定のアイコンを選択することにより、前記所定のアイコンに対応するマニュアル情報を前記携帯端末に表示することを特徴とする請求項１から３のいずれかに記載のプラント監視制御システム。
【請求項５】
前記プラントに異常が発生した場合において、前記携帯端末にアラームメッセージを表示し、作業者が前記アラームメッセージをクリックすることにより、前記アラームメッセージに対応するマニュアル情報を前記携帯端末に表示することを特徴とする請求項１から４のいずれかに記載のプラント監視制御システム。
【請求項６】
前記マニュアル情報管理部は、プラント情報収集部の情報に基づき前記プラントにおける異常の有無を判定し、異常が発生していると判定した場合、前記権限判定部の判定に基づく前記作業者の権限に応じたマニュアル情報を前記携帯端末に表示することを特徴とする請求項１から５のいずれかに記載のプラント監視制御システム。
【請求項７】
前記権限判定部は、前記携帯端末のＩＤに基づき、前記プラントにおけるプラント管理者の当該携帯端末の認証の有無を判定し、前記プラント管理者の認証有りと判定した場合、前記権限判定部の判定に基づく前記作業者の権限に応じたマニュアル情報を前記携帯端末に表示することを特徴とする請求項１から６のいずれかに記載のプラント監視制御システム。
【請求項８】
前記認証情報は、少なくとも前記作業者の作業者ＩＤおよびパスワードを含む認証情報であることを特徴とする請求項１から７のいずれかに記載のプラント監視制御システム。
【請求項９】
複数の監視制御作業が必要なプラントのプラント監視制御に用いるプラント監視制御サーバーであって、
前記プラント監視制御サーバーは、外部からの入力情報を入力信号として処理する入力処理部と、
前記入力信号を受けて入力処理を行う処理実行部と、
前記処理実行部からの前記入力信号に基づき、画面情報格納部に予め登録された画面情報を読み出し、当該読み出した画面情報を外部の出力装置および外部の携帯端末に表示する画面管理部と、
作業者情報格納部に予め登録された作業者情報および権限情報格納部に予め登録された権限情報と前記外部の携帯端末から入力された作業者の認証情報とを照合することにより前記プラントにおける前記作業者の権限を判定する権限判定部と、を備え、
前記権限判定部の判定に基づく前記作業者の権限に応じて、マニュアル情報格納部に予め登録されたマニュアル情報をマニュアル情報管理部が選択し、当該選択したマニュアル情報を前記外部の携帯端末に表示することを特徴とするプラント監視制御サーバー。
【請求項１０】
前記権限情報は、作業者の熟練度に応じて予め階層分けされた権限区分を含むことを特徴とする請求項９に記載のプラント監視制御サーバー。
【請求項１１】
作業者が前記外部の携帯端末に当該作業者の認証情報を入力し、前記プラント監視制御サーバーにログインした場合において、前記外部の携帯端末に表示される画面情報の複数のアイコンのうち、所定のアイコンを選択することにより、前記所定のアイコンに対応するマニュアル情報を前記外部の携帯端末に表示することを特徴とする請求項９または１０に記載のプラント監視制御サーバー。
【請求項１２】
前記プラントに異常が発生した場合において、前記外部の携帯端末にアラームメッセージを表示し、作業者が前記アラームメッセージをクリックすることにより、前記アラームメッセージに対応するマニュアル情報を前記外部の携帯端末に表示することを特徴とする請求項９から１１のいずれかに記載のプラント監視制御サーバー。
【請求項１３】
前記マニュアル情報管理部は、プラント情報収集部の情報に基づき前記プラントにおける異常の有無を判定し、異常が発生していると判定した場合、前記権限判定部の判定に基づく前記作業者の権限に応じたマニュアル情報を前記外部の携帯端末に表示することを特徴とする請求項９から１２のいずれかに記載のプラント監視制御サーバー。
【請求項１４】
前記権限判定部は、前記外部の携帯端末のＩＤに基づき、前記プラントにおけるプラント管理者の当該携帯端末の認証の有無を判定し、前記プラント管理者の認証有りと判定した場合、前記権限判定部の判定に基づく前記作業者の権限に応じたマニュアル情報を前記外部の携帯端末に表示することを特徴とする請求項９から１３のいずれかに記載のプラント監視制御サーバー。
【請求項１５】
前記認証情報は、少なくとも前記作業者の作業者ＩＤおよびパスワードを含む認証情報であることを特徴とする請求項９から１４のいずれかに記載のプラント監視制御サーバー。
【発明の詳細な説明】
【技術分野】
【０００１】
本発明は、複数の監視制御作業が必要なプラントの監視制御を行うプラント監視制御システムおよびプラント監視制御サーバーに関する。
【背景技術】
【０００２】
近年の上下水道等のプラントでは、熟練者の減少や市町村の統廃合により、複数の監視制御システムの統合化が行われており、作業者が監視業務を行う範囲が広域化するとともに対象の設備が多様化している。このような影響を受け、近年プラントの運転監視に伴う作業者の作業が複雑になり、マニュアル等を活用することが必須となっている。しかし、膨大な量の紙媒体のマニュアルでは参照に時間が掛かることや、携行が困難であることのほか、情報漏えい防止等、セキュリティの観点からも運用が難しい。
【０００３】
熟練者は減少しており、プラントに異常が発生した場合に対応するために不慣れな初心者や一般の作業者が対応せざるを得ないケースが増えている。そのため、対応に必要な箇所をマニュアルから参照する際、時間が掛かったり、マニュアル内容を理解できずに誤った対応をしてしまうことで問題が深刻化してしまうことがある。
【０００４】
プラントの監視制御に関するものとしては、特許文献1のような技術が開示されている。特許文献１では、発電所において、作業者が発電所を起動、運転するために必要な情報をサーバーからクライアント端末に表示することが出来る。サーバーから得た情報、データを利用して作業者は発電所を効率よく信頼性の高い運転を行うことができる。
【先行技術文献】
【特許文献】
【０００５】
【特許文献１】特開２０１３−１１４６８７号公報
【発明の概要】
【発明が解決しようとする課題】
【０００６】
しかしながら、特許文献１における発電所の運転を管理するための方法及び装置では、作業者が受け取ることが出来る情報は個人の熟練度に関係ないものである。また、不特定多数の作業者に同一の情報を用意してしまうと、作業者によっては情報の理解に時間を要したり、誤った操作をしてしまう可能性がある。
【０００７】
上記のように、監視制御対象となるプラント設備や範囲が広域になっている一方、熟練者は減少しており、プラントに異常が発生した場合に対応するために不慣れな初心者や一般の作業者が対応せざるを得ないケースが増えている。監視範囲が広域化し、熟練者が減少している現状において、作業者の熟練度に応じて異なる指示が必要である。
【０００８】
そこで、本発明の目的は、複数の監視制御作業が必要なプラントにおいて、作業者の権限レベル或いは熟練度に応じて、適切な情報を迅速に作業者へ伝達するプラント監視制御システムを提供することにある。
【０００９】
また、本発明の他の目的は、複数の監視制御作業が必要なプラントにおいて、作業者の権限レベル或いは熟練度に応じて、適切な情報を迅速に作業者へ伝達するプラント監視制御サーバーを実現することにある。
【課題を解決するための手段】
【００１０】
上記課題を解決するために、本発明は、複数の監視制御作業が必要なプラントのプラント監視制御システムであって、前記プラント監視制御システムは、作業者の認証情報を入力する持ち運び可能な携帯端末と、前記携帯端末或いは外部の入力装置から入力された入力情報を入力信号として処理する入力処理部と、前記入力信号に基づき、画面情報格納部に予め登録された画面情報を読み出し、当該読み出した画面情報を前記携帯端末および外部の出力装置に表示する画面管理部と、作業者情報格納部に予め登録された作業者情報および権限情報格納部に予め登録された権限情報と前記携帯端末から入力された前記認証情報とを照合することにより前記プラント監視制御システムにおける前記作業者の権限を判定する権限判定部と、を備え、前記権限判定部の判定に基づく前記作業者の権限に応じて、マニュアル情報格納部に予め登録されたマニュアル情報をマニュアル情報管理部が選択し、当該選択したマニュアル情報を前記携帯端末に表示することを特徴とする。
【００１１】
また、本発明は、複数の監視制御作業が必要なプラントのプラント監視制御システムであって、前記プラント監視制御システムは、作業者の認証情報を入力する持ち運び可能な携帯端末と、前記携帯端末から入力された入力情報を入力信号として処理する入力処理部と、前記入力信号に基づき、画面情報格納部に予め登録された画面情報を読み出し、当該読み出した画面情報を前記携帯端末に表示する画面管理部と、作業者情報格納部に予め登録された作業者情報および権限情報格納部に予め登録された権限情報と前記携帯端末から入力された前記認証情報とを照合することにより前記プラント監視制御システムにおける前記作業者の権限を判定する権限判定部と、を備え、前記権限判定部の判定に基づく前記作業者の権限に応じて、マニュアル情報格納部に予め登録されたマニュアル情報をマニュアル情報管理部が選択し、当該選択したマニュアル情報を前記携帯端末に表示することを特徴とする。
【００１２】
また、本発明は、複数の監視制御作業が必要なプラントのプラント監視制御に用いるプラント監視制御サーバーであって、前記プラント監視制御サーバーは、外部からの入力情報を入力信号として処理する入力処理部と、前記入力信号を受けて入力処理を行う処理実行部と、前記処理実行部からの前記入力信号に基づき、画面情報格納部に予め登録された画面情報を読み出し、当該読み出した画面情報を外部の出力装置および外部の携帯端末に表示する画面管理部と、作業者情報格納部に予め登録された作業者情報および権限情報格納部に予め登録された権限情報と前記外部の携帯端末から入力された作業者の認証情報とを照合することにより前記プラントにおける前記作業者の権限を判定する権限判定部と、を備え、前記権限判定部の判定に基づく前記作業者の権限に応じて、マニュアル情報格納部に予め登録されたマニュアル情報をマニュアル情報管理部が選択し、当該選択したマニュアル情報を前記外部の携帯端末に表示することを特徴とする。
【発明の効果】
【００１３】
本発明によれば、複数の監視制御作業が必要なプラントにおいて、作業者の権限レベル或いは熟練度に応じて、適切な情報を迅速に作業者へ伝達するプラント監視制御システムを提供することができる。
【００１４】
また、本発明によれば、複数の監視制御作業が必要なプラントにおいて、作業者の権限レベル或いは熟練度に応じて、適切な情報を迅速に作業者へ伝達するプラント監視制御サーバーを実現することができる。
【００１５】
上記した以外の課題、構成及び効果は、以下の実施形態の説明により明らかにされる。
【図面の簡単な説明】
【００１６】
【図１】本発明の一実施形態に係る監視制御システムの全体概要を示す図である。
【図２】本発明の一実施形態に係る監視制御システムのマニュアル画面のレイアウトを示す図である。
【図３】本発明の一実施形態に係る監視制御システムの画面情報を示す図である。
【図４】本発明の一実施形態に係る監視制御システムの権限情報を示す図である。
【図５】本発明の一実施形態に係る監視制御システムのプラント情報を示す図である。
【図６】本発明の一実施形態に係る監視制御システムの作業者情報を示す図である。
【図７】本発明の一実施形態に係る監視制御システムの緊急アラーム時のマニュアル表示権限判定のフローチャートである。
【図８】本発明の一実施形態に係る監視制御システムのシンボルクリック時のマニュアル表示権限判定のフローチャートである。
【図９】本発明の一実施形態に係る監視制御システムのハンディ端末で監視画面を参照する際の表示権限判定のフローチャートである。
【発明を実施するための形態】
【００１７】
以下、図面を用いて本発明の実施例を説明する。
【実施例１】
【００１８】
図1は、本発明における監視制御システムの全体概要を示したものである。監視制御システム１００は液晶ディスプレイなどの出力装置１０１、キーボード、マウス、タッチパネルなどの入力装置１０２、および現場の流量計や圧力計などのプラント機器１０３と接続されている。これらの入力装置１０２から作業者の入力を受け付け、プラント機器１０３に対して操作指示を出力し、結果を出力装置１０１に表示して、プラントの運転監視を実施している。監視制御システム１００は、このようにプラント機器１０３からの入力信号を受け、監視制御画面を出力装置１０1に表示する。
【００１９】
出力装置１０1に表示される監視制御画面は、画面管理部１０７が画面情報格納部１０８に格納されている画面識別子と画面名称の変換規則を読み取り、必要に応じて監視制御画面を出力装置１０1に表示する。また画面管理部１０７は、監視制御画面の表示や画面切替を行っており、作業者の入力情報を受けてプラント機器の操作やプラント情報収集部１０４からの情報取得を行っている。プラント情報収集部１０４は必要に応じてプラント機器１０３から情報を収集している。
【００２０】
作業者の操作指示や入力は、入力装置１０２やハンディ端末１１３から入力し、入力処理部１０５が入力信号として処理を行い、操作指示や入力処理を行う処理実行部１０６が呼び出される。処理実行部１０６は、画面管理部１０７へと入力を伝達する。画面管理部１０７は、監視制御画面を格納してある画面情報格納部１０８から監視画面のデータを読み出し、出力装置１０１に表示している。この監視画面は、システムから許可を与えた他のハンディ端末からも参照することが可能である。画面情報格納部１０８にはプラント監視画面やトレンド画面、アラーム画面などの情報表示画面が格納されており、プラント情報が必要であればプラント情報収集部１０４から情報を収集する。
【００２１】
監視制御システム１００では作業者がログインする際にハンディ端末１１３により、マニュアル情報管理部１０９を通じて作業者情報格納部１１２から作業者のユーザーＩＤとパスワードによる本人認証を実施している。このとき、ＩＤ、パスワードの入力に３回失敗すると、作業者情報格納部１１２にプラント管理者として権限登録されている作業者に通知を行う。作業者が本人であることを認証できた場合、監視制御システム１００は、表示装置すなわち出力装置１０１上に作業者の名前を表示する。
【００２２】
マニュアル情報管理部１０９は、始めにプラント情報収集部１０４に問い合わせを行う。このとき、プラントに異常が発生していなければ、マニュアルの送信は行わない。異常が発生していた場合、マニュアル情報管理部１０９は作業者の権限を権限判定部１１４に問い合わせを行う。権限判定部１１４は作業者情報格納部１１２と権限情報格納部１１１を参照し、作業者の権限に応じたマニュアルをマニュアル情報管理部１０９を介してマニュアル情報格納部１１０から呼び出し、ハンディ端末１１３に表示する。このとき、表示されるマニュアルは画面管理部１０７によって表示される画面に対応したものである。
【００２３】
なお本実施例では、監視制御システム１００は、プラントに設置されるサーバーにソフトウェアの一部として図１に示す各機能が統合して組み込まれるプラント監視制御サーバーとして構成される例を用いて説明するが、上記で説明した各機能つまり情報格納部や情報収集部、管理部、処理部、処理実行部、判定部の各々の機能を、複数のサーバーに分割して組み込み、複数のサーバーからなるシステムとして構成することも可能である。
【００２４】
図２は、ハンディ端末１１３に表示するマニュアル画面のレイアウト２００を示したものである。マニュアル情報格納部１１０から呼び出されたマニュアルは、マニュアル表示エリア２０１に表示される。マニュアル画面のレイアウト２００には、ログイン名称表示エリア２０２が備わっており、ログイン中の作業者の名前が表示される。作業者情報格納部１１２にプラント管理者として権限登録されている作業者が許可を与えることで、必要に応じてハンディ端末の画面から監視制御画面を参照することが出来る。
【００２５】
許可情報の変更は、プラント管理者が作業者情報格納部１１２に登録されている許可情報を書き換えることで行う。作業者は画面左上の監視画面切替ボタン２０３をタッチすることで画面の切替申請を行う。申請が受理された場合は監視制御画面に切り替わり、表示されているシンボル（アイコン）をタッチすることで、シンボル（アイコン）と権限に対応したマニュアルを閲覧することが出来る。
【００２６】
図３乃至図５は、それぞれ画面情報格納部１０８に格納されている画面管理情報３００、権限情報格納部１１１に格納されている権限定義３０３、プラント情報収集部１０４に格納されているプラント情報３０８を示している。
【００２７】
図３に示すように、画面情報格納部１０８には、画面管理情報３００として監視制御システム１００で扱う監視制御画面が、最初の画面３０１から最後の画面３０２まで登録されており、すべて識別子で一意的に特定することが出来る。
【００２８】
図４に示すように、権限情報格納部１１１には各画面識別子毎にマニュアルの情報、開示可能なグループの情報、更に開示可能な権限の情報が指定されている。ここで権限は、熟練度の判定のための指標として用いる。例えば、より上位の権限を持つ者は熟練者として判断する。
【００２９】
図４のＮｏ．１の定義３０４では、画面識別子１のマニュアルは、グループと権限に関して特に制約が無いことを示している。画面識別子１のマニュアルは、どの作業者でも閲覧可能な権限定義がされていることを示している。Ｎｏ．２の定義３０５では、研修員向けの簡易マニュアルＢが用意されており、グループに関係なく研修員はマニュアルＢを閲覧できることを示している。Ｎｏ．３の定義３０６では、画面識別子２において上級の作業者向けのマニュアルＡも用意されており、グループには制限がないが、権限が課長である場合はこちらも表示可能であることを示している。またＮｏ．１０の定義３０７では、表示可能なマニュアルとグループが指定されているが権限には制限がないことを示している。
【００３０】
図５に示すように、プラント情報収集部１０４では、存在するプラント機器３０８すべてに識別子を与えてプラントの状態を管理している３０９。
【００３１】
図６は、監視制御システム１００の作業者情報格納部１１２に格納されている情報を示している。作業者情報格納部１１３には作業者の情報４００が作業者毎に格納されている。本実施例では、作業者Ａと作業者Ｂの情報を例示しているが、作業者情報格納部１１３にはすべてのプラントの作業者の情報が格納されている。
【００３２】
作業者の情報４００としては、作業者ＩＤ４０１、作業者名４０２、パスワード４０３、監視対象となるプラントの情報４０４、作業者の所属しているグループ情報４０５、作業者の権限情報４０６、作業者のログイン状態４０７、作業者のハンディ端末ＩＤ４０８、およびハンディ端末による監視画面の参照の許可の有無４０９が定義されている。監視画面の参照の許可はユーザー毎の設定である。作業者ＩＤ４０１とハンディ端末ＩＤ４０８は監視制御システム１００内で重複がないように管理されており、作業者名とパスワードが定義されている。
【００３３】
図７は、緊急アラーム時のマニュアル表示権限の判定フローを示している。本判定フローは、緊急アラーム時、画面識別子毎に対応するマニュアルをログイン中の作業者が表示できるか否かの判定を行うものである。この処理はアラームメッセージのクリック（５００）などを通じて入力装置１０２からマニュアルの表示申請（５０１）が行われることにより判定を開始する（５００）。
【００３４】
まず入力装置１０２から入力処理部１０５、処理実行部１０６、画面管理部１０７を通じてマニュアル情報管理部１０９にマニュアルの問い合わせを行う（５０２）。このとき、マニュアル情報管理部１０９はプラント情報収集部１０４に問い合わせを行い、プラントに異常が発生していなければマニュアル送信は行わない（５０３）。
【００３５】
異常が発生していれば権限判定部１１４が、権限情報格納部１１１と作業者情報格納部１１２に問い合わせを行いマニュアルとユーザー情報の権限について判定を行う（５０４）。次に、画面識別子のグループが作業者のグループと一致しているかどうかを判定する（５０５）。グループが一致するか、グループの指定が特に無い場合は、作業者の権限で表示可能なマニュアルがあるかどうか判定する（５０６）。表示可能なマニュアルがある場合は、表示可能の判定を返す（５０７）。グループ、権限の判定を満たさない場合は表示不可の判定を返す（５０８）。
【００３６】
図８は、ポンプ、弁等のシンボル（アイコン）クリック時のマニュアル表示権限の判定フローを示している。本判定フローは、シンボル（アイコン）クリック時、画面識別子毎に対応するマニュアルをログイン中の作業者が表示できるか否かの判定を行うものである。この処理はシンボル（アイコン）のクリック（６００）を通じて入力装置１０２からマニュアルの表示申請（６０１）が行われることにより判定を開始する（６００）。
【００３７】
まず入力装置１０２から入力処理部１０５、処理実行部１０６、画面管理部１０７を通じてマニュアル情報管理部１０９にマニュアルの問い合わせを行う（６０２）。このとき、マニュアル情報管理部１０９はプラント情報収集部１０４に問い合わせを行い、プラントに異常が発生していなければマニュアル送信は行わない（６０３）。
【００３８】
異常が発生していれば権限判定部１１４が、権限情報格納部１１１と作業者情報格納部１１２に問い合わせを行いマニュアルとユーザー情報の権限について判定を行う（６０４）。次に、画面識別子のグループが作業者のグループと一致しているかどうかを判定する（６０５）。グループが一致するか、グループの指定が特に無い場合は、作業者の権限で表示可能なマニュアルがあるかどうか判定する（６０６）。表示可能なマニュアルがある場合は、表示可能の判定を返す（６０７）。グループ、権限の判定を満たさない場合は表示不可の判定を返す（６０８）。
【００３９】
図９は、必要に応じてハンディ端末１１３で監視画面を参照する際の表示権限の判定フローを示している。本判定フローは、ハンディ端末１１３で監視画面を参照する際、作業者のハンディ端末１１３の許可情報から監視画面の参照ができるか否かの判定を行うものである。この処理はハンディ端末１１３から監視画面切替ボタン２０３のタッチ（７００）を通じて、監視画面の参照申請（７０１）が行われることにより判定を開始する（７００）。
【００４０】
ハンディ端末１１３から権限判定部１１４への問い合わせが行われる（７０２）。権限判定部１１４は作業者情報格納部１１２を参照し（７０３）、申請を行ったハンディ端末１１３のＩＤは監視画面参照の許可情報が可になっているかどうかを判定する（７０４）。許可情報が可になっている場合は表示可能の判定を返す（７０５）。許可情報が不可になっている場合は表示不可の判定を返す（７０６）。
【００４１】
次に、以上の実施例で説明したプラント監視制御システムの運用方法について説明する。先ず始めに、作業者はハンディ端末１１３で監視制御システムにログインする。異常発生時、必要に応じて出力装置１０１に表示されたアラーム、シンボル（アイコン）を選択することで、ハンディ端末１１３によりシンボル（アイコン）に対応するマニュアルを閲覧する。
【００４２】
マニュアルは作業者の権限によって同じシンボル（アイコン）を選択しても異なるマニュアルが送付される。作業者の権限に応じて表示されるマニュアルが異なるため、外部の作業者がシステムを利用する際、必要以上の情報を公開することなくシステムを利用し、セキュリティ上安全に作業を行うことができる。
【００４３】
また、プラント機器に不具合が発生した時にはハンディ端末１１３を現場まで持参して、参照しながら作業を行う。このとき、作業者はシステムから許可を与えたハンディ端末１１３から監視画面を参照し、シンボル（アイコン）にタッチすることで必要かつ権限に応じたマニュアルを取得し、参照する。ハンディ端末１１３に与えた許可はプラント管理者が任意で取り消すことが出来、ハンディ端末１１３を紛失した場合には許可を取り消すことで外部からの不正なアクセスを防ぎ、セキュリティ上安全にシステムを運用することが出来る。
【００４４】
本実施例の監視制御システムでは、各監視制御画面を番号等の識別子で識別し、監視制御システム内で重複がないように管理しておく。上下水道プラントを始めとするプラント運転作業者が、監視制御画面を操作している際に、特定のポンプ、弁等のシンボル（アイコン）を選択した場合に、右クリックにてマニュアルの送信を行うことが出来る。時間帯やプラントの信号状態によってマニュアルを表示する際に、作業者毎に作業者の管理対象となるプラント情報、表示可能なマニュアル情報、および権限情報に基づいて表示可能なマニュアルを選定し、タブレットＰＣ（Ｐｅｒｓｏｎａｌ−Ｃｏｍｐｕｔｅｒ）やスマートフォン等、作業者が携行する端末に表示することで作業者が適切な対応を取れるよう支援を行う。このとき監視制御システムはユーザーログイン機能を備えており、作業者のタブレットＰＣやスマートフォン等のハンディ端末は予め登録しておく。
【００４５】
本実施例の監視制御システムは、上記の実施例で説明したように、ハンディ端末１１３に表示するマニュアルを格納するマニュアル情報格納部１１０と、各監視制御画面毎に開示可能なマニュアル、グループ、権限の情報を格納する権限情報格納部１１１と、作業者毎のＩＤ、作業者名、パスワードに加えて監視対象のプラント、所属するグループ、作業者の権限情報を格納する作業者情報格納部１１２とを備え、各監視制御画面を番号等の識別子で識別し、これに対応したマニュアルを作業者の権限に応じて用意しておき、作業者毎に作業者のグループと権限に基づいて、どのマニュアルを表示するか判断し、作業者が適切な対応を取れるようサポートする。
【００４６】
本実施例の監視制御システムによれば、作業者の熟練度あるいは権限を判定して、予めプラント管理者が登録しておいた操作マニュアルをハンディ端末に表示することで、作業者が現場に赴いた際に、手元のハンディ端末に表示されるマニュアルを参照しながら操作することができる。そのため、紙ベースのマニュアルを持ち歩かなくても良く、また、マニュアルを探す手間を軽減することができる。さらに、作業者の権限に応じて表示する内容を変更することができるため、セキュリティを意識したプラント運用を行うことが可能となる。
【００４７】
また、本実施例の監視制御システムによれば、携行しているタブレットＰＣ端末に操作システムと作業者の熟練度に応じたマニュアルをプラントの機器のシンボル（アイコン）を選択することによって表示して、不慣れな作業者であっても適切なオペレーションを可能にする。
【００４８】
つまり、不慣れな初心者や一般者がユーザーの熟練度に応じて、適切なマニュアルを迅速に提供することが出来る。同時にセキュリティの観点から、作業者の権限に応じてマニュアル内で閲覧できる内容を制限することが出来るため、情報漏えい等のセキュリティ事故を防ぐことが出来る。
【００４９】
なお、本発明はプラントであれば、上下水道の水処理プラント、石油精製プラント、各種発電所（発電プラント）など、その適用範囲を限定されること無く、幅広く運用が可能である。
【００５０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５１】
１００…監視制御システム、１０１…出力装置、１０２…入力装置、１０３…プラント機器、１０４…プラント情報収集部、１０５…入力処理部、１０６…処理実行部、１０７…画面管理部、１０８…画面情報格納部、１０９…マニュアル情報管理部、１１０…マニュアル情報格納部、１１１…権限情報格納部、１１２…作業者情報格納部、１１３…ハンディ端末、１１４…権限判定部、２００…マニュアル画面のレイアウト、２０１…マニュアル表示エリア、２０２…ログイン名称表示エリア、２０３…監視画面切替ボタン、３００…画面管理情報、３０３…権限定義、３０８…プラント情報、４００…作業者の情報、５００…緊急アラーム時のマニュアル表示権限判定フロー、６００…シンボルクリック時のマニュアル表示権限判定フロー、７００…ハンディ端末で監視画面を参照する際の表示権限判定フロー。
【図１】
2015184851.tif 000003
【図２】
2015184851.tif 000004
【図３】
2015184851.tif 000005
【図４】
2015184851.tif 000006
【図５】
2015184851.tif 000007
【図６】
2015184851.tif 000008
【図７】
2015184851.tif 000009
【図８】
2015184851.tif 000010
【図９】
2015184851.tif 000011